(57)【要約】      （修正有）【課題】フィルターの目詰まりを防いで掃除機の寿命を伸ばし、より環境に配慮した電気掃除機を提供する。【解決手段】吸引風を発生させる電動送風機を備えた本体と、前記本体から着脱可能で前記電動送風機によって吸引された塵埃をフィルター３０によって捕集し蓄積する集塵容器と、フィルター３０に付着した塵埃を電動機によって除塵する除塵手段３４と、集塵容器が本体から外されている時に除塵手段３４が動作するための電源となる蓄電手段と、フィルター３０の傾きを検知する傾き検知手段３７と、集塵容器に捕集した塵埃を捨てる際に操作するごみ捨てスイッチを備え、除塵手段３４は、ごみ捨てスイッチ３６が操作され、かつ傾き検知手段３７が、フィルター３０の塵埃付着面が上向きでないと検知した場合に除塵を行う。【選択図】図２
2012005735.tif 000002
【特許請求の範囲】
【請求項１】
吸引風を発生させる電動送風機を備えた本体と、前記本体から着脱可能で前記電動送風機によって吸引された塵埃をフィルターによって捕集し蓄積する集塵容器と、前記フィルターに付着した塵埃を電動機によって除塵する除塵手段と、前記集塵容器が本体から外されている時に前記除塵手段が動作するための電源となる蓄電手段と、前記フィルターの傾きを検知する傾き検知手段と、前記集塵容器に捕集した塵埃を捨てる際に操作するごみ捨てスイッチを備え、前記除塵手段は、前記ごみ捨てスイッチが操作され、かつ前記傾き検知手段が前記フィルターが前記フィルターの塵埃付着面が上向きでないと検知した場合に除塵を行うことを特徴とする電気掃除機。
【発明の詳細な説明】
【技術分野】
【０００１】
本発明は、フィルター付の集塵容器を備えた一般家庭用もしくは業務用等の電気掃除機に関するもので、特に掃除機の長寿命化に関するものである。
【背景技術】
【０００２】
近年、環境に対する関心が高まってきており、省エネや省資源を考慮した商品が数多く販売されている。そのなかで、電気掃除機においては使い捨ての紙パックを使用せず、掃除機本体から着脱でき、再利用可能な集塵容器を利用する方式の電気掃除機が数多く販売されている。
【０００３】
これらの掃除機は塵埃を吸引するための電動送風機と集塵容器の間に塵埃を捕集する為のフィルターが設けられているが、従来からこのフィルターの目詰まりによる吸引力の低下があるためフィルターの手入れが必要であり、紙パックを使用する方式に比べてその手入れの分手間がかかるものであった。この課題に対しては、電動機によってフィルターに付着した塵埃を除去する発明が開示されている（たとえば特許文献１参照）。このような構成でフィルターの除塵を行う場合、除塵された塵埃がフィルターの目の奥に入り込まないよう、除塵の際のフィルターの向きを考慮する方が良い。これに対応するため、フィルターの傾き度合いを検知し所定の角度以外では除塵を禁止するようにしている。
【先行技術文献】
【特許文献】
【０００４】
【特許文献１】特開２０１０−１１９９８号公報
【発明の概要】
【発明が解決しようとする課題】
【０００５】
しかしながら特許文献１に開示される発明では、掃除機本体に集塵容器が装着されている場合しか考慮されておらず、集塵容器を外してごみを捨てる際に、集塵容器の持ち運び方によってはフィルターに塵埃が再度付着してしまうという事象には対応していなかった。
【課題を解決するための手段】
【０００６】
前記従来の課題を解決するために本発明は、吸引風を発生させる電動送風機を備えた本体と、前記本体から着脱可能で前記電動送風機によって吸引された塵埃をフィルターによって捕集し蓄積する集塵容器と、前記フィルターに付着した塵埃を電動機によって除塵する除塵手段と、前記集塵容器が本体から外されている時に前記除塵手段が動作するための電源となる蓄電手段と、前記フィルターの傾きを検知する傾き検知手段と、前記集塵容器に捕集した塵埃を捨てる際に操作するごみ捨てスイッチを備え、前記除塵手段は、前記ごみ捨てスイッチが操作され、かつ前記傾き検知手段が前記フィルターが前記フィルターの塵埃付着面が上向きでないと検知した場合に除塵を行うようにした。
【０００７】
これにより、最も高い効率でフィルターの除塵を行うことができ、除塵機構の摩耗を減らしたり、吸い込み性能の低下を抑えて電動送風機の負荷を低減したりするなど、掃除機の寿命を伸ばし、より環境に配慮した電気掃除機を提供することが可能になる。
【発明の効果】
【０００８】
本発明の電気掃除機は、フィルターの目詰まりを防いで掃除機の寿命を伸ばし、より環境に配慮した電気掃除機を提供するものである。
【図面の簡単な説明】
【０００９】
【図１】本発明の実施の形態１における電気掃除機の概略図
【図２】同電気掃除機における集塵容器の概略図
【図３】同電気掃除機における集塵容器のごみ捨て時の概略図
【図４】除塵手段が動作する場合の同電気掃除機における集塵容器のごみ捨て時の概略図
【図５】除塵手段が動作しない場合の同電気掃除機における集塵容器のごみ捨て時の概略図
【発明を実施するための形態】
【００１０】
本発明は、吸引風を発生させる電動送風機を備えた本体と、前記本体から着脱可能で前記電動送風機によって吸引された塵埃をフィルターによって捕集し蓄積する集塵容器と、前記フィルターに付着した塵埃を電動機によって除塵する除塵手段と、前記集塵容器が本体から外されている時に前記除塵手段が動作するための電源となる蓄電手段と、前記フィルターの傾きを検知する傾き検知手段と、前記集塵容器に捕集した塵埃を捨てる際に操作するごみ捨てスイッチを備え、前記除塵手段は、前記ごみ捨てスイッチが操作され、かつ前記傾き検知手段が前記フィルターが前記フィルターの塵埃付着面が上向きでないと検知した場合に除塵を行うことで、掃除機の寿命を伸ばし、より環境に配慮した電気掃除機を提供することができる。
【００１１】
（実施の形態１）
本発明の実施の形態１における電気掃除機について図１〜５を用いて説明する。図１は電気掃除機の全体図である。１は掃除機本体であり、２は掃除機本体１に内蔵された電動送風機であり、３は掃除機本体１から着脱可能であり、電動送風機２の吸引風によって吸引された塵埃を捕集する集塵容器である。電動送風機２の吸引風はホース４と延長管７を通じて吸込具８へ伝わり床面の塵埃を吸引する。ホース４には使用者が持つための把手部６を備え、把手部６には電動送風機２の動作および停止を指示するための操作部（図示せず）を備えている。
【００１２】
図２は集塵容器３の概略図であり、図３〜図５はごみ捨て時の集塵容器の概略図である。３２は塵埃を集塵容器３へ導くための吸気入口であり、３０は塵埃を捕集するためのフィルターであり、３７はフィルター３０（集塵容器３）の傾きを検知する傾き検知手段である。３４はフィルターに付着した塵埃を除塵するための振動を発生させる電動機で構成された除塵手段であり、二次電池で構成された蓄電手段３５を電力源として動作する。蓄電手段３５は、集塵容器３が掃除機本体１に装着されている時に掃除機本体１より給電されることで充電される。また、集塵容器３上部の取っ手３１には、ごみ捨ての際に操作し、かつ除塵手段３４の動作を指示するための押しボタンで構成されたごみ捨て／除塵スイッチ３６を備えており、３３はごみ捨てスイッチが押されたときに開く底部である。
【００１３】
上記のように構成された本実施の形態における電気掃除機の動作、作用は以下の通りである。掃除の際には、使用者が把手部６の操作部を操作して電動送風機２を動作させ、塵埃を吸引する。電動送風機２の吸引風によって吸引された塵埃は、集塵容器３の吸気入口３２より取り入れられ、掃除機本体１の吸気口（図示せず）へ連通する部分に備えたフィルター３０によって捕集されて集塵容器３内部に蓄積される。この間に掃除機本体１より集塵容器３の蓄電手段３５が充電される。
【００１４】
掃除が終了し、使用者が集塵容器３のごみを捨てる際には、集塵容器３を掃除機本体１から取り外し、ごみ箱やごみ袋まで持ち運ぶ。この時の集塵容器３は図２の形態になっている。そして、ごみ捨て／除塵スイッチ３６を押すと底部３３が開き（図３の状態）、集
塵容器３内部のごみを捨てる。この際、ごみ捨て／除塵スイッチ３６を押している間は除塵手段３４が動作し、フィルター３０に付着した塵埃を振動によってごみ箱やごみ袋へふるい落とす。これにより、除塵によってふるい落とされた細塵はフィルター３０に再度付着することが無くなり、フィルター３０の目詰まりを防ぎ、吸引力の低下を防ぐことができる。
【００１５】
しかし、フィルター３０が上向きである場合に除塵手段３４が動作すると、振動によってフィルター３０の目に塵埃が入り込み、逆に吸引力低下の原因になってしまう。したがって、除塵手段３４は傾き検知手段３７がフィルター３０の傾きが上向きである場合、すなわち、図５の状態では除塵動作を行わないようにし、図４の状態で除塵を行うようにする。
【００１６】
以上のように、蓄電手段３５を用いてごみ捨ての際にフィルター３０を除塵できるようにし、かつ塵埃がフィルター３０の目に入り込まないようフィルター３０の傾きによって除塵を制限することで、最も高い効率でフィルターの除塵を行うことができ、除塵機構の摩耗を減らしたり、吸い込み性能の低下を抑えて電動送風機の負荷を低減したりするなど、掃除機の寿命を伸ばし、より環境に配慮した電気掃除機を提供することが可能になる。
【００１７】
なお、本実施の形態では蓄電手段３５は二次電池で構成されているが、一般的に除塵の時間は１０秒以内で済むため、電気二重層コンデンサで構成することも可能である。この場合には充電回路が簡略化されたり、蓄電手段のコンパクト化を可能にすることができる。
【産業上の利用可能性】
【００１８】
以上のように、本発明にかかる電気掃除機は、フィルターの目詰まりを防いで掃除機の寿命を伸ばし、より環境に配慮した電気掃除機を提供するものであるため、家庭用・業務用問わずフィルター付の集塵容器を備えた掃除機全般に利用が可能である。
【符号の説明】
【００１９】
１  掃除機本体
２  電動送風機
３  集塵容器
４  ホース
６  把手部
７  延長管
８  吸込具
３０  フィルター
３１  取っ手
３２  吸気入口
３３  底部
３４  除塵手段
３５  蓄電手段（二次電池）
３６  ごみ捨て／除塵スイッチ
３７  傾き検知手段
【図１】
2012005735.tif 000003
【図２】
2012005735.tif 000004
【図３】
2012005735.tif 000005
【図４】
2012005735.tif 000006
【図５】
2012005735.tif 000007